(57)【特許請求の範囲】
【請求項１】
天面壁と該天面壁から垂下する円筒状スカート壁とを有し、該スカート壁には周方向に間隔をおいて周方向に延びる複数個のスリットと該スリット間に位置する複数個の橋絡部とから構成された周方向破断ラインが形成されており、該スカート壁は該周方向破断ラインよりも上方の主部と該破断ラインよりも下方のタンパーエビデント裾部とに区画されており、該主部の内周面には雌螺条が形成され、該タンパーエビデント裾部の内周面には係止手段が形成されている合成樹脂製蓋において、
該スリットの下面の少なくとも一部は半径方向内方に向かって上方に傾斜する傾斜面である、ことを特徴とする合成樹脂製蓋。
【請求項２】
該傾斜面は水平に対して１０乃至４５度の傾斜角度αを有する、請求項１記載の合成樹脂製蓋。
【請求項３】
該スリットは軸線方向間隔が比較的大きい通常部と軸線方向間隔が比較的小さい台座部とを有し、該通常部の下面の周方向全体が該スカート壁の外面から内面まで半径方向内方に向かって上方に傾斜せしめられている、請求項１又は２記載の合成樹脂製蓋。
【請求項４】
該スリットの該通常部における半径方向内側端の軸線方向間隔は０．６乃至１．２ｍｍである、請求項３記載の合成樹脂製蓋。
【請求項５】
容器本体と合成樹脂製蓋との組み合わせであって、該容器本体は円筒状口頸部を有し、該口頸部の外周面には雄螺条と該雄螺条の下方に位置する環状係止あごが形成されており、該合成樹脂製蓋は天面壁と該天面壁から垂下する円筒状スカート壁とを有し、該スカート壁には周方向に間隔をおいて周方向に延びる複数個のスリットと該スリット間に位置する複数個の橋絡部とから構成された周方向破断ラインが形成されており、該スカート壁は該周方向破断ラインよりも上方の主部と該破断ラインよりも下方のタンパーエビデント裾部とに区画されており、該主部の内周面には雌螺条が形成され、該タンパーエビデント裾部の内周面には係止手段が形成されている組み合わせにおいて、
該容器本体の該環状係止あごの上面は半径方向内側に向かって上方に傾斜する傾斜面であり、
該合成樹脂製蓋の該スリットの下面の少なくとも一部は半径方向内方に向かって上方に傾斜する傾斜面である、ことを特徴とする組み合わせ。
【請求項６】
該合成樹脂製蓋の該雌螺条を該容器本体の該雄螺条に螺合せしめると共に該合成樹脂製蓋の該係止手段を該容器本体の該環状係止あごの下方に位置せしめて、該容器本体の該口頸部に該合成樹脂製蓋を装着した状態において、該スリットの該傾斜面の半径方向内側端は該環状係止あごの該傾斜面の半径方向外側端と実質上同一の高さ乃至これより上方に位置する、請求項５記載の組み合わせ。
【請求項７】
該スリットの上面の半径方向内側端は該環状係止あごの該傾斜面の半径方向内側端と実質上同一の高さ乃至これより下方に位置する、請求項５又は６記載の組み合わせ。
【請求項８】
該スリットの該傾斜面と該環状係止あごの該傾斜面とは水平に対して１０乃至４５度の傾斜角度αを有する、請求項５から７までのいずかに記載の組み合わせ。
【発明の詳細な説明】
【０００１】
【発明の属する技術分野】
本発明は、合成樹脂製蓋及び容器本体と合成樹脂製蓋との組み合わせ、更に詳しくは、容器本体内に果汁の如き内容物を充填し、そして容器本体の口頸部に蓋を装着して口頸部を密封した後に、蓋に洗浄液を噴射して口頸部の外周面及び蓋の内面（特にスカート壁の内周面）を洗浄する所謂密封後洗浄を適用するのに適した合成樹脂製蓋及び容器本体と合成樹脂製蓋との組み合わせに関する。
【０００２】
容器本体と合成樹脂製蓋とから構成される容器内に果汁等の内容物を封入する際には、口頸部を通して容器本体内に果汁の如き内容物を充填し、しかる後に口頸部に蓋を装着して口頸部を密封している。ポリエチレンテレフタレートの如き適宜の合成樹脂或いはガラスから形成することができる容器本体の口頸部は円筒状であり、その外周面には雄螺条とその下方に位置する環状係止あごが形成されている。ポリエチレン或いはポリプロピレンの如き適宜の合成樹脂から形成される蓋は、円形天面壁とこの天面壁の周縁から垂下する円筒形状のスカート壁とを有する。スカート壁には周方向破断ラインが形成されており、スカート壁は周方向破断ラインよりも上方の主部と周方向破断ラインよりも下方のタンパーエビデント裾部とに区画されている。主部の内面には雌螺条が形成されており、タンパーエビデント裾部の内面には係止手段が形成されている。容器本体の口頸部に蓋を被嵌して閉方向に回転せしめ、蓋の雌螺条を口頸部の雄螺条に螺合せしめ、そしてまた蓋の係止手段を口頸部の環状係止あごの下方に位置せしめることによって、口頸部に蓋が装着される。
【０００３】
而して、当業者には周知の如く、口頸部を通して容器本体内に内容物を充填する際には、幾分かの内容物が溢れて口頸部の外周面に付着することが少なくない。口頸部に付着した内容物をそのままにしておくと、かかる内容物は大気に晒されている故に腐食してしまう虞がある。また、固化した内容物によって蓋が口頸部に固着され、口頸部の開封のために蓋を開方向に回転せしめることが困難になる傾向がある。そこで、例えば特開平５−６５１５１号公報に開示されている如く、スカート壁の上部に複数個のスリットを形成し、口頸部に蓋を装着した後に蓋に洗浄液を噴射し、上記スリットを通して口頸部の外周面と蓋のスカート壁の内周面との間に洗浄液を流入せしめ、かくして口頸部の外周面及びスカート壁の内面（特にスカート壁の内周面）を洗浄している。
【０００４】
【発明が解決しようとする課題】
然るに、スカート壁の上部に複数個のスリットを形成した蓋を使用する場合、その理由はかならずしも明確ではないが、口頸部の外周面とスカート壁の内周面との間に充分な量の洗浄液を流入せしめるためには、洗浄液を相当高温、例えば７０℃程度に加熱することが必要である。従って、耐熱処理が施されていない容器本体及び／又は蓋に対して適用すると、口頸部及び／又は蓋が変形され、口頸部の密封が毀損されてしまう虞が少なくない。洗浄液の流入を促進するためにスリットを比較的大きなものにせしめると、本来的にはスリットが存在しないことが望まれるスカート壁の上部に比較的大きなスリットが複数個存在することになり、蓋自体の外観が劣化され、そしてまたスリットに埃が堆積してしまうことになる。
【０００５】
本発明は上記事実に鑑みてなされたものであり、その主たる技術的課題は、スカート壁の上部に複数個のスリットを形成する必要なくして、そしてまた高温の洗浄液ではなくて常温の洗浄液を使用した場合でも、容器本体の口頸部の外周面と蓋のスカート壁の内周面との間に充分な量の洗浄液を流入せしめることを可能にすることである。
【０００６】
【課題を解決するための手段】
本発明者等は鋭意検討の結果、スカート壁に形成されている周方向破断ラインが周方向に間隔をおいて周方向に延びる複数個のスリット（細長開口）とかかるスリット間に位置する複数個の橋絡部とから構成されている形態の蓋において、周方向破断ラインにおけるスリットの少なくとも一部の下面を半径方向内方に向かって上方に傾斜する傾斜面にすると、スカート壁の上部等に別個にスリットを形成する必要なくして、そしてまた高温の洗浄液ではなくて常温の洗浄液を使用した場合でも、周方向破断ラインにおけるスリットを通して充分な量の洗浄液を容器本体の口頸部の外周面と蓋のスカート壁の内周面との間に流入せしめることができることを見出した。
【０００７】
即ち、本発明によれば、上記主たる技術的課題を達成する合成樹脂製蓋として、天面壁と該天面壁から垂下する円筒状スカート壁とを有し、該スカート壁には周方向に間隔をおいて周方向に延びる複数個のスリットと該スリット間に位置する複数個の橋絡部とから構成された周方向破断ラインが形成されており、該スカート壁は該周方向破断ラインよりも上方の主部と該破断ラインよりも下方のタンパーエビデント裾部とに区画されており、該主部の内周面には雌螺条が形成され、該タンパーエビデント裾部の内周面には係止手段が形成されている合成樹脂製蓋において、
該スリットの下面の少なくとも一部は半径方向内方に向かって上方に傾斜する傾斜面である、ことを特徴とする合成樹脂製蓋が提供される。
【０００８】
また、本発明によれば、上記主たる技術的課題を達成する容器本体と合成樹脂製蓋との組み合わせとして、容器本体と合成樹脂製蓋との組み合わせであって、該容器本体は円筒状口頸部を有し、該口頸部の外周面には雄螺条と該雄螺条の下方に位置する環状係止あごが形成されており、該合成樹脂製蓋は天面壁と該天面壁から垂下する円筒状スカート壁とを有し、該スカート壁には周方向に間隔をおいて周方向に延びる複数個のスリットと該スリット間に位置する複数個の橋絡部とから構成された周方向破断ラインが形成されており、該スカート壁は該周方向破断ラインよりも上方の主部と該破断ラインよりも下方のタンパーエビデント裾部とに区画されており、該主部の内周面には雌螺条が形成され、該タンパーエビデント裾部の内周面には係止手段が形成されている組み合わせにおいて、
該容器本体の該環状係止あごの上面は半径方向内側に向かって上方に傾斜する傾斜面であり、
該合成樹脂製蓋の該スリットの下面の少なくとも一部は半径方向内方に向かって上方に傾斜する傾斜面である、ことを特徴とする組み合わせが提供される。
【０００９】
好ましくは、合成樹脂製蓋における該傾斜面は水平に対して１０乃至４５度の傾斜角度αを有する。該スリットは軸線方向間隔が比較的大きい通常部と軸線方向間隔が比較的小さい台座部とを有し、該通常部の下面の周方向全体が該スカート壁の外面から内面まで半径方向内方に向かって上方に傾斜せしめられているのが好適である。該スリットの該通常部における半径方向内側端の軸線方向間隔は０．６乃至１．２ｍｍであるのが好都合である。合成樹脂製蓋の該雌螺条を容器本体の該雄螺条に螺合せしめると共に該合成樹脂製蓋の該係止手段を該容器本体の該環状係止あごの下方に位置せしめて、該容器本体の該口頸部に該合成樹脂製容器蓋を装着した状態において、該スリットの該傾斜面の半径方向内側端は該環状係止あごの該傾斜面の半径方向外側端と実質上同一の高さ乃至これより上方に位置し、該スリットの上面の半径方向内側端は該環状係止あごの該傾斜面の半径方向内側端と実質上同一の高さ乃至これより下方に位置するのが好ましい。
【００１０】
【発明の実施の形態】
以下、添付図面を参照して本発明の好適実施形態について更に詳述する。
【００１１】
図１には、本発明に従って構成された合成樹脂製蓋の好適実施形態が図示されている。ポリエチレン又はポリプロピレンの如き適宜の合成樹脂から形成されている、全体を番号２で示す蓋は、円形天面壁４とこの天面壁４の周縁から垂下する円筒状スカート壁６とを有する。天面壁４の内面には２条の環状シール壁、即ち内側環状シール壁８及び外側環状シール壁１０が形成されている。更に、内側環状シール壁８と外側環状シール壁１０との間には環状シール突条１１が形成されている。スカート壁６には周方向破断ライン１２が形成されており、スカート壁６は周方向破断ライン１２よりも上方の主部１４と周方向破断ライン１２よりも下方のタンパーエビデント裾部１６とに区画されている。スカート壁６の主部１４の外周面には、そこに掛けられる指の滑りを防止するための凹凸形状１８が形成されている。主部１４の内周面には雌螺条２０が形成されている。この雌螺条２０は周方向に間隔をおいた複数個の角度位置において切り欠かれており、軸線方向に延びる複数個の通気路２２が形成されている。タンパービデント裾部１６の内周面には係止手段２４が形成されている。図示の実施形態においては、係止手段２４は、周方向に間隔をおいてタンパーエビデント裾部１６の内周面から上方に向かって半径方向内方に傾斜して突出する複数個の突出片２６から構成されている。
【００１２】
図１と共に図２を参照して説明を続けると、上記周方向破断ライン１２は、周方向に間隔をおいて周方向に延びる複数個（図示の場合は８個）のスリット（細長開口）２８Ａ乃至２８Ｈとかかるスリット２８Ａ乃至２８Ｈ間に位置する複数個（図示の場合は８個）の橋絡部３０とから構成されている。スリット２８Ａ乃至２８Ｈの各々の周方向長さは実質上同一であり、そしてまたスリット２８Ａ乃至２８Ｈ間の間隔、従って橋絡部３０の各々の周方向長さも実質上同一である。複数個のスリット２８Ａ乃至２８Ｈのうちの直径方向に対向して位置する２個のスリット２８Ａ及び２８Ｅの各々には、その上面３２から下方に突出する略三角形状の停止片３４とその下面３６から上方に突出する略三角形状の停止片３８とが形成されている。停止片３４と停止片３８とは、夫々、若干の間隔をおいて対向する当接縁３４ａと当接縁３８ａとを有する。停止片３４及び３８が形成されている２個のスリット２８Ａ及び２８Ｅを除く６個のスリット２８Ｂ、２８Ｃ、２８Ｄ、２８Ｆ、２８Ｇ及び２８Ｈの各々には、夫々の周方向中央部において夫々の下面３６から上方に突出する略矩形状の台座片４０が形成されている。従って、スリット２８Ｂ、２８Ｃ、２８Ｄ、２８Ｆ、２８Ｇ及び２８Ｈの各々には、夫々の周方向中央部に位置する台座部４２とかかる台座部４２の両側に位置する通常部４４とを有する。図３に明確に図示する如く、通常部４４においてはスリット２８Ｂ、２８Ｃ、２８Ｄ、２８Ｆ、２８Ｇ及び２８Ｈの各々は比較的大きい軸線方向間隔Ｓ１を有するが、図４に明確に図示する如く、台座部４２においてはスリット２８Ｂ、２８Ｃ、２８Ｄ、２８Ｆ、２８Ｇ及び２８Ｈの各々は比較的小さい軸線方向間隔Ｓ２を有する。後に更に詳述する如く、通常部４４における軸線方向間隔Ｓ１はスカート壁６の外周面から内周面に向かって漸次減少せしめられているが、半径方向内側端において０．６乃至１．２ｍｍ程度であるのが好適である。台座部４２の軸線方向間隔Ｓ２は０．２乃至０．５ｍｍ程度でよい。スリット２８Ｃ及びスリット２８Ｇにおける台座片４０の周方向両側面は略半径方向に延びているが、スリット２８Ｂ、２８Ｄ、２８Ｆ及び２８Ｈにおける台座片４０の周方向両側面は周方向外方に向かって半径方向内方に傾斜せしめられており、台座片４０の周方向両側部は周方向外方に向かって厚さが漸次低減せしめられている。かかる厚さの低減は、図１において紙面に垂直な方向で図２においては上下方向である型開方向に相互に移動せしめられる割型を移動せしめて射出成形型から成形品、即ち蓋２を取り出す際の所謂無理抜きを低減せしめるためのものであり、スリット２８Ｂ、２８Ｄ、２８Ｆ及び２８Ｈにおける台座片４０の片側面は上記型開方向に対して実質上垂直に延び他側面は上記型開方向に対して実質上平行に延びている。
【００１３】
図１乃至図４、特に図３及び図４を参照して説明を続けると、本発明においては、スリット２８Ａ乃至２８Ｈの下面３６の少なくとも一部は半径方向内側に向かって上方に傾斜する傾斜面であることが重要である。図示の実施形態においては、スリット２８Ｂ、２８Ｃ、２８Ｄ、２８Ｆ、２８Ｇ及び２８Ｈにおける通常部４４の下面３６の周方向全体が、スカート壁６の外周面から内周面まで半径方向内側に向かって上方に傾斜する傾斜面である。また、スリット２８Ｂ、２８Ｄ、２８Ｆ及び２８Ｈにおける台座部４２においても、台座片４０の傾斜両側面の半径方向外側に位置する下面３６もスカート壁６の外周面から台座片４０の両側面まで半径方向内側に向かって上方に傾斜する傾斜面せしめられている。更に、スリット２８Ａ及び２８Ｅの下面３６（係止片３８が係止されている部分を除く）の周方向全体も、スカート壁６の外周面から内面まで半径方向内側に向かって上方に傾斜する傾斜面である。スリット２８Ａ乃至２８Ｈの下面３６の傾斜角度αは１０乃至４５度程度であるのが好ましく、特に１５乃至４０度であるのが好ましい。スリット２８Ａ乃至２８Ｈの上面３２は実質上水平面である。所望ならば、上面３２の少なくとも一部も半径方向内側に向かって下方に或いは上方に傾斜する傾斜面にせしめることもできる。スリット２８Ｂ、２８Ｃ、２８Ｄ、２８Ｆ、２８Ｇ及び２８Ｈに形成されている台座片４０の上面は実質上水平に延在せしめられている。
【００１４】
図５には容器本体の口頸部４６に蓋２を装着して口頸部４６を密封した状態を図示している。ポリエチレンテレフタレートの如き適宜の合成樹脂或いはガラスから形成することができる容器本体の口頸部４６は、実質上円筒形状であり、その上端面は開放されている。口頸部４６の外周面には、雄螺条４８、この雄螺条４８の下方に位置する環状係止あご５０、及び環状係止あご５０の下方に位置する環状ネックリング５２が形成されている。環状係止あご５０は半径方向内方に向かって上方に傾斜して円弧状に延びる湾曲傾斜面である上面５０ａ、略鉛直に延びる外周面５０ｂ及び実質上水平に延びる下面５０ｃを有する（図３も参照されたい）。雄螺条４８を周方向に間隔をおいた複数個の位置にて切り欠いて軸線方向に延びる複数個の通気路（図示していない）を形成するのが好ましい。かような口頸部４６を有する容器本体の構成自体は周知の形態であり、それ故に容器本体についての詳細な説明は本明細書においては省略する。
【００１５】
容器に果汁の如き内容物を封入する際には、口頸部４６を通して容器本体内に内容物を充填する。しかる後に、図５に図示する如く、容器本体の口頸部４６に蓋２を装着する。この際には、口頸部４６に蓋２を被嵌し、蓋２を閉方向（図５において上方から見て時計方向）に回転せしめる。かくすると、口頸部４６の雄螺条４８に蓋２の雌螺条２０が螺合せしめられ、蓋２は回転に応じて下降せしめられる。雄螺条４８と雌螺条２０とが充分に螺合せしめられると、蓋２のタンパーエビデント裾部１６に形成されている係止手段２４が弾性的に変形せしめられて口頸部４６の環状係止あご５０を通過し、しかる後に弾性的に復元して環状係止あご５０に係止せしめられる。タンパーエビデント裾部１６の係止手段２４が環状係止あご５０を通過する際には、タンパーエビデント裾部１６の閉方向への回転及び下降に対して相当な抵抗が加えられるが、タンパーエビデント裾部１６がスカート壁６の主部１４に対して相対的に開方向（図５において上方から見て反時計方向）に回転せしめられると、周方向破断ライン１２におけるスリット２８Ａ及び２８Ｅに配設されている停止片３４の当接縁３４ａに停止片３８の当接縁３８ａが当接し、スカート壁６の主部１４から停止片３４及び３８を介してタンパーエビデント裾部１６に閉方向の回転力が伝えられ、またタンパーエビデント裾部１６がスカート壁６の主部１４に対して相対的に上方に移動せしめられると、周方向破断ライン１２におけるスリット２８Ｂ、２８Ｃ、２８Ｄ、２８Ｆ、２８Ｇ及び２８Ｈに配設されている台座片４０がスリット２８Ｂ、２８Ｃ、２８Ｄ、２８Ｆ、２８Ｇ及び２８Ｈの上面３２に当接し、スカート壁６の主部１４から台座片４０を介してタンパーエビデント裾部１６に下方向の力が伝えられ、それ故に口頸部４６に蓋２を装着する際に周方向破断ライン１２における橋絡部３０が破断されてしまうことが充分確実に防止される。口頸部４６に蓋２が所要とおりに装着されると、図５に明確に図示する如く、蓋２の天面壁４の内面に形成されている内側環状シール壁８、外側環状シール壁１０及び環状シール突条１１が、夫々、口頸部４６の内周面、外周面及び頂面に密接せしめられ、これによって口頸部４６が密封される。
【００１６】
而して、口頸部４６を通して果汁の如き内容物を容器本体内に充填する際には、口頸部４６の外周面に幾分かの内容物が飛散付着する傾向がある。そこで、容器本体の口頸部４６に蓋２を装着した後に、口頸部４６の外周面及びこれに接触乃至近接せしめられる蓋２の内周面を洗浄することが必要である。かかる洗浄の際には、図５に簡略に図示する如く、口頸部４６に装着された蓋２、特にそのスカート壁６の周方向破断ライン１２の領域に、適宜のノズル５４から常温水でよい洗浄液５６を噴射すればよい。本発明に従って構成された蓋２によれば、スカート壁６の周方向破断ライン１２におけるスリット２８Ａ乃至２８Ｈの下面３６が少なくとも部分的に半径方向内側に向かって上方に傾斜する傾斜面である故に、周方向破断ライン１２に噴射された洗浄液５６はスリット２８Ａ乃至２８Ｈを通ってスカート壁６の内周面と口頸部４６の外周面との間に進入し、この際にはスリット２８Ａ乃至２８Ｈの下面に存在する傾斜面の案内作用によって半径方向上方に指向される。従って、スカート壁６の内周面と口頸部４６の内周面との間に進入し、次いで上方に、例えばスカート壁６の内周面に形成されている通気路２２（雌螺条２０の切り欠き）及び／又は口頸部４６の外周面に形成されている通気路（雄螺条４８の切り欠き）を通って流動し、しかる後に口頸部４６の外周面及びスカート壁６の内周面に沿って流下し、スカート壁６の内周面と口頸部４６の外周面との間から流出する。かくして、口頸部４６の外周面及び蓋２の内面（特にスカート壁６の内周面）が効果的に洗浄される。
【００１７】
周方向破断ライン１２におけるスリット２８Ａ乃至２８Ｈに噴射された洗浄液５６を一層効果的に上方に指向せしめるためには、口頸部４６に蓋２を装着した状態において、スリット２８Ａ乃至２８Ｈの傾斜せしめられた下面の半径方向内側端が、口頸部４６における環状係止あご５０の湾曲傾斜面である上面５０ａの半径方向外側端と実質上同一の高さ乃至これより上方に位置せしめられているのが好適である。また、スリット２８Ａ乃至２８Ｈの上面３２は、口頸部４６における環状係止あご５０の湾曲傾斜上面５０ａの半径方向内側端と実質上同一の高さ乃至これより下方に位置せしめられているのが好適である。かような場合には、口頸部４６における環状係止あご５０の湾曲傾斜上面５０ａによっても、スカート壁６の内周面と口頸部４６の外周面との間に流入した洗浄液５６が上方に指向せしめられる。
【００１８】
図５に図示する様式においては、口頸部４６に蓋２が装着された容器本体を正立状態にせしめて蓋２に洗浄液５６を噴射しているが、所望ならば、口頸部４６に蓋２が装着された容器本体を横倒し状態にせしめて或いは倒立状態にせしめて蓋２に洗浄液５６を噴射することもできる。
【００１９】
口頸部４６を開封して容器本体内の内容物を消費する際には、蓋２を開方向（図５において上方から見て反時計方向）に回転せしめればよい。かくすると、蓋２の雌螺条２０が口頸部４６の雄螺条４８に沿って移動せしめられる故に、蓋２は回転と共に上昇せしめられるが、蓋２のタンパーエビデント裾部１６は、その内周面に配設されている係止手段２４が口頸部４６の環状係止あご５０に係止されている故に、上昇が阻止されている。それ故に、スカート壁６の周方向破断ライン１２に、更に詳細にはその橋絡部３０に相当な応力が生成され、橋絡部３０が破断される。しかる後においては、周方向破断ライン１２の破断によってスカート壁６の主部１４から切り離されたタンパーエビデント裾部１６を口頸部４６に残留せしめて、蓋２のタンパーエビデント裾部１６以外の部分は回転と共に上昇せしめられて口頸部４６から離脱され、かくして口頸部４６が開封される。図示の実施形態においては、上述したとおり口頸部４６を開封する際には、タンパーエビデント裾部１６がスカート壁６の主部１４から切り離されて口頸部４６に残留せしめられるが、所望ならば、周方向破断ラインにおける橋絡部の少なくとも１個は破断されることなく維持され、タンパーエビデント裾部に配設されている軸線方向破断ラインが破断されてタンパーエビデント裾部が無端環状から有端帯状に展開され、タンパーエビデント裾部も口頸部から離脱せしめられる形態の蓋にも本発明を適用することができる。
【００２０】
【発明の効果】
本発明によれば、スカート壁の上部に複数個のスリットを形成する必要なくして、そしてまた高温の洗浄液ではなくて常温の洗浄液を使用した場合でも、容器本体の口頸部の外周面と蓋のスカート壁の内周面との間に充分な量の洗浄液を流入せしめることができる。
【図面の簡単な説明】
【図１】本発明に従って構成された蓋の好適実施形態を、一部を断面で示す正面図。
【図２】図１の線Ａ−Ａにおける断面図。
【図３】図１の蓋の周方向破断ラインにおけるスリットの通常部を示す断面図。
【図４】図１の蓋の周方向破断ラインにおけるスリットの台座部を示す断面図。
【図５】図１の蓋を容器本体の口頸部に装着した状態を、一部を断面で示す正面部。
【符号の説明】
２：蓋
４：天面壁
６：スカート壁
１２：周方向破断ライン
１４：スカート壁の主部
１６：タンパーエビデント裾部
２８Ａ：スリット
２８Ｂ：スリット
２８Ｃ：スリット
２８Ｄ：スリット
２８Ｅ：スリット
２８Ｆ：スリット
２８Ｇ：スリット
２８Ｈ：スリット
３０：橋絡部
３２：スリットの上面
３４：停止片
３６：スリットの下面
３８：停止面
４０：台座片
４２：台座部
４４：通常部
４６：容器本体の口頸部
５０：環状係止あご
５０ａ：環状係止あごの上面
５６：洗浄液
【図１】
0003967597.tif 000002
【図２】
0003967597.tif 000003
【図３】
0003967597.tif 000004
【図４】
0003967597.tif 000005
【図５】
0003967597.tif 000006